(57)【要約】【課題】  旋回操作の操作性の低下を抑制するために、監視対象範囲より広い範囲を撮像するカメラ装置において、カメラ装置が旋回していない場合に、映像の切り出しに伴い解像度や感度が低下し、映像の画質が劣化するという課題がある。【解決手段】  カメラ装置を旋回させる場合、画角を大きくするようズームレンズを制御するとともに、旋回速度に基づいて算出された範囲を映像から切り出し、カメラ装置を旋回させない場合、映像からの切り出しを行わない。【選択図】  図１
2020014140.tif 000002
【特許請求の範囲】
【請求項１】
ズームレンズ及び旋回部を有し画角の変更が可能なカメラ装置を制御するカメラ制御装置であって、
前記ズームレンズ及び前記旋回部を制御する制御部と、
前記カメラ装置により撮像された映像を処理する処理部とを備え、
前記旋回部を旋回させる場合、
前記制御部は、前記画角を大きくするよう前記ズームレンズを制御し、
前記処理部は、前記旋回部の旋回速度に基づいて算出された範囲を前記映像から切り出し、
前記旋回部を旋回させない場合、
前記処理部は、前記映像から切り出しを行わないことを特徴とするカメラ制御装置。
【請求項２】
前記旋回部を旋回させる場合、
前記制御部は、前記旋回部の旋回速度に基づき前記画角を大きくするよう前記ズームレンズを制御することを特徴とする請求項１記載のカメラ制御装置。
【請求項３】
前記旋回部を旋回させる場合、
前記制御部は、前記旋回部の旋回速度及び前記カメラ装置による撮像時刻から前記処理部による前記映像の処理完了時刻までの時間を示す遅延時間に基づき前記画角を大きくするよう前記ズームレンズを制御し、
前記処理部は、前記旋回部の旋回速度及び前記遅延時間に基づいて算出された範囲を前記映像から切り出すことを特徴とする請求項１または請求項２記載のカメラ制御装置。
【請求項４】
前記旋回部を旋回させる場合、
前記処理部は、前記画角の変化に応じて前記画角が変化する前に相当する範囲を前記映像から切り出すことを特徴とする請求項１から請求項３までのいずれか１項記載のカメラ制御装置。
【請求項５】
第一の画角の第一のレンズ、前記第一の画角より大なる第二の画角の第二のレンズ及び旋回部を有し画角の変更が可能なカメラ装置を制御するカメラ制御装置であって、
前記旋回部を制御する制御部と、
前記第一のレンズにより撮像された第一の映像または前記第二のレンズにより撮像された第二の映像を処理する処理部とを備え、
前記旋回部を旋回させる場合、
前記処理部は、前記旋回部の旋回速度に基づいて算出された範囲を前記第二の映像から切り出し、
前記旋回部を旋回させない場合、
前記処理部は、前記第二の映像から切り出しを行わないことを特徴とするカメラ制御装置。
【請求項６】
前記第二の画角は、前記第一の画角及び前記旋回部の旋回速度に基づいて定められることを特徴とする請求項５記載のカメラ制御装置。
【請求項７】
前記第二の画角は、前記第一の画角、前記旋回部の旋回速度及び前記カメラ装置による撮像時刻から前記処理部による前記映像の処理完了時刻までの時間を示す遅延時間に基づいて定められることを特徴とする請求項５または請求項６記載のカメラ制御装置。
【請求項８】
請求項１から請求項７までのうちのいずれか１項記載のカメラ制御装置を備えた監視カメラシステム。
【発明の詳細な説明】
【技術分野】
【０００１】
この発明は、監視カメラ等のカメラ装置を制御するカメラ制御装置に関するものである。
【背景技術】
【０００２】
従来の監視カメラとして、パン方向またはチルト方向に旋回する旋回部及び撮像範囲（画角）を変化させるズームレンズを搭載するものがある。
【０００３】
監視カメラにより撮像される映像をリアルタイムに確認することができれば、監視カメラの旋回部またはズームレンズの制御は容易である。しかし、監視カメラと監視カメラを制御するカメラ制御装置とは互いに離れた場所に設置され、ネットワークで接続されていることが一般的である。
【０００４】
この場合、ネットワークの伝送帯域圧縮を目的として、映像信号をカメラ装置にて符号化し、カメラ制御装置にて復号化することにより、符号化、復号化、ネットワーク伝送及びこれらの組み合わせ等を要因として遅延が発生するため、カメラ制御装置に接続される映像表示装置には、監視カメラが実際に撮影している映像より前に撮影された映像が表示されることとなる。このため、監視者が目的の方向・画角で停止させることが困難になるなどの旋回操作の操作性の低下が発生する。
【０００５】
この旋回操作の操作性の低下を抑制するカメラ制御装置として、カメラ装置が監視対象範囲より広い範囲を撮像し、カメラ制御装置が撮像された映像から旋回部に対する制御に合わせて監視対象範囲を切り出すものがある（例えば、特許文献１参照）。
【先行技術文献】
【特許文献】
【０００６】
【特許文献１】特開２００４−３５７２３３号公報
【発明の概要】
【発明が解決しようとする課題】
【０００７】
従来のカメラ制御装置は、旋回操作の操作性の低下を抑制するために、常に監視対象範囲より広い範囲を撮像し映像の切り出しを行うものであるため、カメラ装置が旋回していない場合において、映像の切り出しに伴い解像度や感度が低下し、映像の画質が劣化するという課題があった。
【０００８】
この発明は上記のような課題を解決するためになされたもので、カメラ装置の旋回操作の操作性の低下を抑制するために常に映像の切り出しを行うことなく、カメラ装置が旋回していない場合において、映像の画質の劣化を抑制することができるカメラ制御装置を得ることを目的としている。
【課題を解決するための手段】
【０００９】
この発明に係るカメラ制御装置は、
ズームレンズ及び旋回部を有し画角の変更が可能なカメラ装置を制御するカメラ制御装置であって、
前記ズームレンズ及び前記旋回部を制御する制御部と、
前記ズームレンズにより撮像された映像を処理する処理部とを備え、
前記旋回部を旋回させる場合、
前記制御部は、前記画角を大きくするよう前記ズームレンズを制御し、
前記処理部は、前記旋回部の旋回速度に基づいて算出された範囲を前記映像から切り出し、
前記旋回部を旋回させない場合、
前記処理部は、前記映像から切り出しを行わないことを特徴とするものである。
【発明の効果】
【００１０】
この発明によれば、上記のように構成したので、カメラ装置の旋回操作の操作性の低下を抑制するために常に映像の切り出しを行うことなく、カメラ装置が旋回していない場合において、映像の画質の劣化を抑制することができるという効果がある。
【図面の簡単な説明】
【００１１】
【図１】この発明の実施の形態１に係る監視カメラシステムの構成及びカメラ制御装置の構成の一例を示す図である。
【図２】この発明の実施の形態１に係るカメラ制御装置の動作の一例を示すフローチャートである。
【図３】この発明の実施の形態１に係る映像の切り出し範囲を示す図である。
【図４】この発明の実施の形態２に係るカメラ制御装置の動作の一例を示すフローチャートである。
【図５】この発明の実施の形態３に係る監視カメラシステムの構成及びカメラ制御装置の構成の一例を示す図である。
【図６】この発明の実施の形態３に係るカメラ制御装置の動作の一例を示すフローチャートである。
【発明を実施するための形態】
【００１２】
以下、この発明の実施の形態について図面を参照しながら詳細に説明する。
実施の形態１．
図１は、この発明の実施の形態１に係る監視カメラシステムの構成及びカメラ制御装置の構成の一例を示す図である。
監視カメラシステム１は、図１に示すように、監視対象範囲を撮像するカメラ装置１０、ネットワーク２０を介してカメラ装置１０が出力する映像を受信して画像処理を行うとともにネットワーク２０を介してカメラ装置１０を制御するカメラ制御装置３０及びカメラ制御装置３０が出力する映像を表示する映像表示装置４０を備える。
【００１３】
カメラ装置１０は、図１に示すように、ズームレンズ１０１、カメラ部１０２、符号化部１０３及び旋回部１０４を備える。
【００１４】
ズームレンズ１０１は、撮像対象の人物や車両など（図示せず）が発する、または反射する光を集光し、カメラ部１０２に出力するものであり、画角を変化させることを可能とするものである。
【００１５】
カメラ部１０２は、ズームレンズ１０１から出力された光を、電気信号である非圧縮映像データ（生映像データ）に変換し、符号化部１０３に出力するものである。
【００１６】
符号化部１０３は、カメラ部１０２から出力された生映像データを符号化し、符号化された符号化映像データを、ネットワーク２０を介し、カメラ制御装置３０に出力するものである。
【００１７】
旋回部１０４は、外部（カメラ制御装置３０）からの制御命令に応じてパン方向やチルト方向に撮像方向を旋回させるものである。
【００１８】
カメラ制御装置３０は、図１に示すように、復号化部３０１、デジタル信号処理部３０２及び制御部３０３を備える。復号化部３０１とデジタル信号処理部３０２とは、処理部を構成する。
【００１９】
復号化部３０１は、カメラ装置１０の符号化部１０３から出力された符号化映像データを復号化し、デジタル信号処理部３０２に出力するものである。
【００２０】
デジタル信号処理部３０２は、復号化部３０１から出力された映像データから映像の切り出し等の処理を行い、映像表示装置４０に出力するものである。
【００２１】
制御部３０３は、図示しない監視者からの制御命令等に応じてカメラ装置１０のズームレンズ１０１及び旋回部１０４の制御を行うものである。
【００２２】
映像表示装置４０は、デジタル信号処理部３０２から出力された映像データを表示するものである。
【００２３】
ズームレンズ１０１により光が集光された時刻（カメラ装置による撮像時刻）から、デジタル信号処理部３０２により映像が映像表示装置４０に出力された時刻（処理部による処理完了時刻）までの間には、符号化部１０３及び復号化部３０１の処理時間並びに符号化部１０３から復号化部３０１までの伝送に要する時間等に起因する遅延時間が発生する。
【００２４】
次に、カメラ装置１０及びカメラ制御装置３０の基本的な動作について、図１及び図２を参照しながら説明する。
【００２５】
カメラ装置１０において、ズームレンズ１０１は、撮像対象の人物や車両など（図示せず）が発する、または反射する光を集光しカメラ部１０２に出力する。カメラ部１０２はズームレンズ１０１から出力された光を電気信号に変換し、量子化などの処理を行い、ある時刻に撮像された生映像データとして、符号化部１０３に出力する。符号化部１０３は、カメラ部１０２から出力された生映像データを符号化し、符号化された符号化映像データを、ネットワーク２０に出力する。
【００２６】
カメラ制御装置３０において、復号化部３０１は、カメラ装置１０の符号化部１０３から出力された符号化映像データを復号化し、復号化映像データをデジタル信号処理部３０２に出力する。
【００２７】
図示しない監視者による旋回操作命令が入力しない等、制御部３０３がカメラ装置１０の旋回部１０４の制御を行わない場合、デジタル信号処理部３０２は、復号化部３０１から出力された復号化映像データに対し、映像切り出しをすることなく、映像表示装置４０に出力する。デジタル信号処理部３０２は映像切り出しを行わないため、映像切り出しに伴う画質の劣化はない。
【００２８】
映像表示装置４０は、デジタル信号処理部３０２から出力された映像を表示する。
【００２９】
図示しない監視者による旋回操作命令が制御部３０３に入力された（ステップＳ１０１）場合、制御部３０３は、以下の式を用いて画角の倍率を算出する（ステップＳ１０２）。
画角の倍率＝（α＋Ｖ×ｔ×２）／α      （１）
式（１）において、αはズームレンズ１０１の通常時の画角（°）、Ｖは旋回部１０４の旋回速度（°／秒）、ｔはズームレンズ１０１により光が集光された時刻から、デジタル信号処理部３０２により映像が映像表示装置４０に出力された時刻までの時間を示す遅延時間（秒）である。例えば、ズームレンズ１０１の通常時の画角が３０°、旋回部１０４の旋回速度１５°／秒、遅延時間１秒とすると、（３０＋１５×２）／３０＝２より、画角の倍率は２となる。
【００３０】
制御部３０３は、算出した画角の倍率まで広角側にズームアウトするよう、ズームレンズ１０１を制御する（ステップＳ１０３）。ここで、画角の倍率が２の場合は、焦点距離が１／２となる位置まで移動させるようにズームレンズ１０１を制御する。
【００３１】
なお、厳密には焦点距離を１／２にしても画角は２倍とならない。特に焦点距離が短い場合に誤差が顕著で現れるため、各焦点距離に対応した画角をテーブルデータとして保持しておき、当該テーブルデータに基づき焦点距離の移動位置を算出してもよい。
【００３２】
ズームレンズ１０１による焦点距離の移動が完了してからも、遅延時間が経過するまでは、復号化部３０１から出力される復号化映像データの映像範囲は変化し続けるため、制御部３０３は、制御部３０３によるズームレンズ１０１へのズームアウトの制御（ステップＳ１０３）から起算して、ズームレンズの動作時間＋遅延時間が経過するまでウェイトする（ステップＳ１０４）。
【００３３】
制御部３０３は、ウェイトした後、図示しない監視者による旋回操作命令に基づき旋回部１０４に旋回を指示する（ステップＳ１０５）。
【００３４】
旋回部１０４は、制御部３０３からの指示に基づき、旋回を開始する。
【００３５】
デジタル信号処理部３０２は、ズームレンズ１０１の通常時の画角で撮像された映像に相当する映像を映像表示装置４０に出力するために、復号化部３０１から出力される復号化映像データからステップＳ１０２で算出した画角の倍率に応じた範囲で映像を切り出し（ステップＳ１０６）、映像表示装置４０に出力する。例えば、画角倍率が２の場合は、切り出す範囲は縦横１／２となる。図３は、縦横１／２の倍率で切り出した時のイメージ図である。画角の倍率が式（１）により旋回部１０４の旋回速度及び遅延時間に基づき算出されていることから、映像の切り出しに伴う画質の劣化は抑制される。
【００３６】
旋回部１０４が旋回を開始してから、遅延時間が経過するまで、復号化部３０１から出力される復号化映像データの映像範囲は変化しない。これに対し、映像表示装置４０において、映像が旋回しているように表示させるため、デジタル信号処理部３０２は、制御部３０３の旋回指示（ステップＳ１０５）後から遅延時間が経過するまで、旋回部１０４の旋回速度と旋回方向に応じて、復号化部３０１から出力される復号化映像データの切り出しの範囲を変更して映像を切り出し（ステップＳ１０６）、映像表示装置４０に出力する。たとえば、右方向に旋回する場合は、映像データの切り出しの範囲を右に変更する。以降、右方向に旋回するものとして説明する。
【００３７】
ステップＳ１０２で画角の倍率が旋回速度及び遅延時間に基づき算出されているため、制御部３０３の旋回指示（ステップＳ１０５）後から遅延時間が経過すると、映像切り出しの範囲は、デジタル信号処理部３０２が受信する符号化映像データの右端に達する。
【００３８】
制御部３０３の旋回指示（ステップＳ１０５）後から遅延時間が経過すると、デジタル信号処理部３０２が受信する符号化映像データは、その画角が、旋回方向に移動し始める。
【００３９】
デジタル信号処理部３０２は、制御部３０３の旋回指示後遅延時間が経過してから、図示しない監視者による旋回操作命令が終了するまで、デジタル信号処理部３０２が受信する符号化映像データの右端を切り出し（ステップＳ１０６、Ｓ１０７）、映像表示装置４０に出力する。
【００４０】
図示しない監視者による旋回操作命令が終了した場合、制御部３０３は、旋回部１０４に旋回の終了を指示する（ステップＳ１０８）。
【００４１】
旋回部１０４の旋回が終了してからも、遅延時間が経過するまでは、復号化部３０１から出力される復号化映像データの映像範囲は移動し続ける。これに対し、映像表示装置４０において、映像が旋回していないように表示させるため、デジタル信号処理部３０２は、制御部３０３の旋回終了指示（ステップＳ１０８）後から遅延時間が経過するまで、旋回部１０４の旋回速度に応じて、復号化部３０１から出力される復号化映像データの切り出しの範囲を旋回していた方向とは逆の映像中央方向に変更して映像を切り出し（ステップＳ１０９、Ｓ１１０）、映像表示装置４０に出力する。
【００４２】
制御部３０３の旋回終了指示（ステップＳ１０８）後から遅延時間が経過後、デジタル信号処理部３０２は、復号化部３０１から出力される復号化映像データの切り出しを終了する（ステップＳ１１１）。
【００４３】
制御部３０３は、当初の画角まで望遠側にズームインするよう、ズームレンズ１０１を制御する（ステップＳ１１２）。
【００４４】
このように、本実施の形態に係るカメラ制御装置は、旋回制御をしない場合（旋回部を旋回させない場合）は、映像データの切り出しを行わず、旋回制御をする場合（旋回部を旋回させる場合）は、カメラ装置のズームレンズに広角側にズームする（画角を大きくする）よう制御し、映像データの切り出しを行うように構成したので、旋回制御をしない場合、映像の切り出しに伴う画質の劣化を回避し、旋回制御をする場合は、符号化部及び復号化部の処理時間、並びに符号化部から復号化部までの伝送に要する時間等に起因する遅延時間の発生に伴う旋回操作の操作性の低下を抑制することが可能となる。
【００４５】
また、本実施の形態に係るカメラ制御装置は、旋回制御をする場合、旋回部の旋回速度に基づき画角を大きくするようズームレンズを制御するよう構成したので、旋回制御をする場合の映像の切り出しに伴う画質の劣化を抑制することが可能となる。
【００４６】
また、本実施の形態に係るカメラ制御装置は、旋回制御をする場合、旋回部の旋回速度に加えて遅延時間に基づき画角を大きくするようズームレンズを制御するよう構成したので、ズームレンズの画角の変化を最小限に抑えることができ、旋回制御をする場合の映像の切り出しに伴う画質の劣化をさらに抑制することが可能となる。また、ズームレンズ１０１のズームアウトの動作に要する時間が短縮されるため、旋回部に旋回を指示してから旋回に伴う映像の変化が始まるまでの待ち時間を短縮することが可能となる。
【００４７】
なお、本実施の形態１では、復号化部３０１から出力される復号化映像データの切り出しを終了する（ステップＳ１１１）前に、続けて旋回部１０４に旋回を指示する可能性に備え、一定の時間待機するように構成してもよい。これにより、続けて旋回を指示する場合、ズームレンズ１０１はその焦点距離が広角側へ移動させた状態であるため、画角の算出（ステップＳ１０２）、ズームレンズ１０１の広角側への動作制御（ステップＳ１０３）及びウェイト（ステップＳ１０４）を省略して、旋回部１０４に旋回を指示することが可能となる。
【００４８】
実施の形態２．
実施の形態１では、ズームレンズ１０１の動作に伴う画角の変化の様子が映像表示装置４０に表示される。実施の形態２では、映像表示装置４０において、ズームレンズ１０１が動作中であっても、画角が変化していないように見せるカメラ制御装置について説明する。
【００４９】
実施の形態２に係る監視カメラシステムの構成及びカメラ制御装置の構成の一例を示す図は、実施の形態１と同様であるので、説明を省略する。
【００５０】
カメラ装置１０及びカメラ制御装置３０の基本的な動作について、図１及び図４を参照しながら説明する。図４において、図２と同一の符号は、同一または相当するものであるので、説明を省略する。
【００５１】
制御部３０３は、算出した画角の倍率まで広角側にズームアウトするよう、ズームレンズ１０１を制御し（ステップＳ１０３）、遅延時間が経過するまでウェイトする（ステップＳ４０１）。
【００５２】
制御部３０３によるズームレンズ１０１への制御後、遅延時間が経過すると、デジタル信号処理部３０２が受信する符号化映像データは、その画角が、ズームアウトし始める。
【００５３】
デジタル信号処理部３０２は、ズームレンズ１０１のズームアウトに伴う画角の変化に応じて、デジタル信号処理部３０２が受信する符号化映像データから、ズームアウト前に相当する範囲で映像を切り出し（ステップＳ４０２）、映像表示装置４０に出力する。
【００５４】
制御部３０３は、ズームレンズ１０１のズームアウト動作完了後、図示しない監視者による旋回操作命令に基づき旋回部１０４に旋回を指示する（ステップＳ１０５）。
【００５５】
これ以降、制御部３０３の旋回終了指示（ステップＳ１０８）までのカメラ装置１０及びカメラ制御装置３０の動作は実施の形態１と同様であるので省略する。
【００５６】
デジタル信号処理部３０２は、制御部３０３の旋回終了指示（ステップＳ１０８）後から遅延時間が経過するまで、旋回部１０４の旋回速度に応じて、復号化部３０１から出力される復号化映像データの切り出しの範囲を旋回していた方向とは逆の映像中央方向に変更して映像を切り出し（ステップＳ１０９、Ｓ１１０）、映像表示装置４０に出力する。
【００５７】
制御部３０３は、当初の画角まで望遠側にズームインするよう、ズームレンズ１０１を制御し、（ステップＳ４０３）、遅延時間が経過するまでウェイトする（ステップＳ４０４）。
【００５８】
制御部３０３の旋回終了指示（ステップＳ１０８）後、遅延時間が経過すると、デジタル信号処理部３０２が受信する符号化映像データは、その画角が、ズームインし始める。
【００５９】
デジタル信号処理部３０２は、ズームレンズ１０１のズームインに伴う画角の変化に応じて、デジタル信号処理部３０２が受信する符号化映像データから、ズームイン前に相当する範囲で映像を切り出し（ステップＳ４０５）、映像表示装置４０に出力する。
【００６０】
このように、本実施の形態に係るカメラ制御装置は、ズームレンズのズームアウト（またはズームイン）に伴う画角の変化に応じて映像データの切り出しを行うように構成したので、映像表示装置において、ズームレンズが動作中であっても、画角が変化していないように表示させることができる。
【００６１】
なお、本実施の形態２では、ズームレンズ１０１を望遠側に動作させる（ステップＳ４０３）前に、続けて旋回部１０４に旋回を指示する可能性に備え、一定の時間待機するように構成してもよい。これにより、続けて旋回を指示する場合、ズームレンズ１０１はその焦点距離は広角側へ移動させた状態であるため、画角の算出（ステップＳ１０２）、ズームレンズ１０１の広角側への動作制御（ステップＳ１０３）及び遅延時間ウェイト（ステップＳ４０１）を省略して、旋回部１０４に旋回を指示することが可能となる。
【００６２】
実施の形態３．
実施の形態１及び実施の形態２では、旋回部への旋回指示の前にズームレンズ１０１のズームアウトの動作が必要となるため、旋回部に旋回を指示してから旋回に伴う映像の変化が始まるまでの間に、待ち時間が発生する。実施の形態３では、旋回部に旋回を指示してから旋回に伴う映像の変化が始まるまでの待ち時間を短縮するカメラ制御装置について説明する。
【００６３】
図５は、この発明の実施の形態３に係る監視カメラシステムの構成及びカメラ制御装置の構成の一例を示す図である。
監視カメラシステム２は、図５に示すように、監視対象範囲を撮像するカメラ装置５０、ネットワーク２０を介してカメラ装置５０が出力する映像を受信して画像処理を行うとともにネットワーク２０を介してカメラ装置５０を制御するカメラ制御装置６０及びカメラ制御装置６０が出力する映像を表示する映像表示装置４０を備える。
【００６４】
カメラ装置５０は、図５に示すように、レンズ５０１、カメラ部５０２、符号化部５０３、サブレンズ５０４、サブカメラ部５０５、サブ符号化部５０６及び旋回部１０４を備える。
【００６５】
レンズ５０１は、撮像対象の人物や車両など（図示せず）が発する、または、反射する光を集光し、カメラ部５０２に出力するものである。
【００６６】
カメラ部５０２は、レンズ５０１から出力された光を、電気信号である非圧縮映像データ（生映像データ）に変換し、符号化部５０３に出力するものである。
【００６７】
符号化部５０３は、カメラ部５０２から出力された生映像データを符号化し、符号化された符号化映像データを、ネットワーク２０を介し、カメラ制御装置６０に出力するものである。
【００６８】
サブレンズ５０４は、撮像対象の人物や車両など（図示せず）が発する、または、反射する光を集光し、サブカメラ部５０５に出力するものであり、サブレンズ５０４の画角（第二の画角）は以下の式を満たすものである。
サブレンズ５０４の画角＝（α＋Ｖ×ｔ×２）      （２）
式（２）において、αはレンズ５０１の画角（第一の画角）（°）、Ｖは旋回部１０４の旋回速度（°／秒）、ｔはレンズ５０１により光が集光された時刻から、デジタル信号処理部６０２により映像が映像表示装置４０に出力された時刻までの時間を示す遅延時間（秒）である。例えば、レンズ５０１の画角が３０°、旋回部１０４の旋回速度１５°／秒、遅延時間１秒とすると、（３０＋１５×２）＝６０より、サブレンズ５０４の画角は６０°となる。
【００６９】
サブカメラ部５０５は、サブレンズ５０４から出力された光を、電気信号である非圧縮映像データ（生映像データ）に変換し、サブ符号化部５０６に出力するものである。
【００７０】
サブ符号化部５０６は、サブカメラ部５０５から出力された生映像データを符号化し、符号化された符号化映像データを、ネットワーク２０を介し、カメラ制御装置６０に出力するものである。
【００７１】
カメラ制御装置６０は、図５に示すように、復号化部６０１、デジタル信号処理部６０２及び制御部６０３を備える。復号化部６０１とデジタル信号処理部６０２とは、処理部を構成する。
【００７２】
復号化部６０１は、カメラ装置５０の符号化部５０３から出力された符号化映像データ（第一の映像）またはサブ符号化部５０６から出力された符号化映像データ（第二の映像）を復号化し、デジタル信号処理部３０２に出力するものである。
【００７３】
制御部６０３は、図示しない監視者からの制御命令等に応じて旋回部１０４の制御を行うものである。
【００７４】
レンズ５０１により光が集光された時刻（カメラ装置による撮像時刻）から、デジタル信号処理部３０２により映像が映像表示装置４０に出力された時刻（処理部による処理完了時刻）までの間には、符号化部５０３及び復号化部６０１の処理時間並びに符号化部５０３から復号化部６０１までの伝送に要する時間等に起因する遅延時間が発生する。
【００７５】
次に、カメラ装置５０及びカメラ制御装置６０の基本的な動作について、図５及び図６を参照しながら説明する。図６において、図２と同一の符号は、同一または相当するものであるので、説明を省略する。
【００７６】
図示しない監視者による制御命令が入力しない場合、復号化部６０１は、カメラ装置５０の符号化部５０３から出力された符号化映像データを復号化し、デジタル信号処理部３０２に出力する。
【００７７】
図示しない監視者による旋回操作命令が制御部３０３に入力された（ステップＳ１０１）場合、復号化部６０１は、復号化の対象を、カメラ装置５０の符号化部５０３から出力された符号化映像データから、カメラ装置５０のサブ符号化部５０６から出力された符号化映像データに切り替え、カメラ装置５０のサブ符号化部５０６から出力された符号化映像データを復号化し、デジタル信号処理部３０２に出力する（ステップＳ６０１）。
【００７８】
制御部６０３は、ウェイトした後、図示しない監視者による旋回操作命令に基づき旋回部１０４に旋回を指示する（ステップＳ１０５）。
【００７９】
旋回部１０４は、制御部６０３からの指示に基づき、旋回を開始する。
【００８０】
デジタル信号処理部３０２は、レンズ５０１で撮像された映像に相当する映像を映像表示装置４０に出力するために、復号化部３０１から出力される復号化映像データから、サブレンズ５０４の画角とレンズ５０１の画角の比率に応じた範囲で映像を切り出し（ステップＳ１０６）、映像表示装置４０に出力する。例えば、画角の比率が２の場合は、切り出す範囲は縦横１／２となる。図３は、縦横１／２の倍率で切り出した時のイメージ図である。サブレンズ５０４の画角が式（２）により旋回部１０４の旋回速度及び遅延時間に基づき算出されていることから、映像の切り出しに伴う画質の劣化は抑制される。
【００８１】
これ以降、図示しない監視者による旋回操作命令が終了するまでのカメラ装置５０及びカメラ制御装置６０の動作は実施の形態１と同様であるので省略する。
【００８２】
図示しない監視者による旋回操作命令が終了した場合、制御部６０３は、旋回部１０４に旋回の終了を指示する（ステップＳ６０２）。
【００８３】
制御部６０３の旋回終了指示後から遅延時間が経過後、復号化部６０１は、復号化の対象を、カメラ装置５０のサブ符号化部５０６から出力された符号化映像データから、カメラ装置５０の符号化部５０３から出力された符号化映像データに切り替え、カメラ装置５０の符号化部５０３から出力された符号化映像データを復号化し、デジタル信号処理部３０２に出力する（ステップＳ６０３）。
【００８４】
このように、本実施の形態に係るカメラ制御装置は、旋回制御をしない場合（旋回部を旋回させない場合）は、映像データの切り出しを行わず、旋回制御をする場合（旋回部を旋回させる場合）は、カメラ装置のサブレンズの集光した光に基づく映像データの切り出しを行うように構成したので、旋回制御をしない場合、映像の切り出しによる画質の劣化を回避し、旋回制御をする場合は、符号化部及び復号化部の処理時間、並びに符号化部から復号化部までの伝送に要する時間等に起因する遅延時間の発生に伴う旋回操作の操作性の低下を抑制することが可能となり、旋回部に旋回を指示してから旋回に伴う映像の変化が始まるまでの待ち時間を短縮することが可能となる。
【００８５】
また、本実施の形態に係るカメラ制御装置は、旋回制御をする場合、旋回部の旋回速度に基づき算出された画角のサブレンズの映像を切り出すよう構成したので、旋回制御をする場合の映像の切り出しに伴う画質の劣化を抑制することが可能となる。
【００８６】
また、本実施の形態に係るカメラ制御装置は、旋回制御をする場合、旋回部の旋回速度に加えて遅延時間にも基づき算出された画角のサブレンズの映像を切り出すよう構成したので、レンズの画角とサブレンズの画角の差を最小限とすることができ、旋回制御をする場合の映像の切り出しに伴う画質の劣化をさらに抑制することが可能となる。
【００８７】
なお、本実施の形態３では、カメラ装置は、レンズ及びサブレンズの代わりにズームレンズ及びサブズームレンズを備えるようにしてもよい。これにより、ズーム機能を搭載したカメラ装置においても、当該ズーム機能により変化するズームレンズの画角に応じて、式（２）を用いてサブズームレンズの画角を変更することで、旋回部に旋回を指示してから旋回に伴う映像の変化が始まるまでの待ち時間を短縮することが可能となる。
【００８８】
また、本実施の形態３では、復号化部６０１が、復号化の対象を、カメラ装置５０のサブ符号化部５０６から出力された符号化映像データから、カメラ装置５０の符号化部５０３から出力された符号化映像データに切り替える（ステップＳ６０３）前に、続けて旋回部１０４に旋回を指示する可能性に備え、一定の時間待機するように構成してもよい。これにより、続けて旋回を指示する場合、復号化部６０１の復号化の対象は、カメラ装置５０のサブ符号化部５０６から出力された符号化映像データであるため、復号化部６０１による、カメラ装置５０の符号化部５０３から出力された符号化映像データから、カメラ装置５０のサブ符号化部５０６から出力された符号化映像データへの復号化の対象の切り替え（ステップＳ６０１）を省略して、旋回部１０４に旋回を指示することが可能となる。
【符号の説明】
【００８９】
１  監視カメラシステム、
２  監視カメラシステム、
１０  カメラ装置、
２０  ネットワーク、
３０  カメラ制御装置、
４０  映像表示装置、
５０  カメラ装置、
６０  カメラ制御装置、
１０１  ズームレンズ、
１０２  カメラ部、
１０３  符号化部、
１０４  旋回部、
３０１  復号化部、
３０２  デジタル信号処理部、
３０３  制御部、
５０１  レンズ、
５０２  カメラ部、
５０３  符号化部、
５０４  サブレンズ、
５０５  サブカメラ部、
５０６  サブ符号化部、
６０１  復号化部、
６０２  デジタル信号処理部、
６０３  制御部
【図１】
2020014140.tif 000003
【図２】
2020014140.tif 000004
【図３】
2020014140.tif 000005
【図４】
2020014140.tif 000006
【図５】
2020014140.tif 000007
【図６】
2020014140.tif 000008